(57)【要約】【課題】  筒状の商品の周面におまけを簡単な作業で確実に取り付けて保持することができ、且つ安価に製造できると共に、商品に取り付けられたおまけを商品から容易に取り外すことができる取付けシートを提供すること。【解決手段】  取付けシート１は、商品１５に貼り付ける正面部３と、おまけ保持部とを含み、おまけ保持部は、底のないおまけ収納部１３と、おまけ固定部１９とを含み、このおまけ固定部１９はおまけ収納部１３と正面部３との間に設けられており、おまけ収納部１３には収納したおまけ１４の一部を露出するための孔６が設けられ、おまけ固定部１９で孔６を覆ったときに、収納されているおまけ１４を、孔６を介しておまけ固定部１９に固定する手段が設けられている。【選択図】  図９
2009249016.tif 000002
【特許請求の範囲】
【請求項１】
筒状商品の周面に、筒状のおまけを取り付けて保持するための取付けシートであって、当該取付けシートは、前記商品に貼り付ける正面部と、おまけ保持部とを含み、当該おまけ保持部は、底のないおまけ収納部と、おまけ固定部とを含み、当該おまけ固定部は前記おまけ収納部と前記正面部との間に設けられており、おまけ収納部には収納したおまけの一部を露出するための孔が設けられ、前記おまけ固定部で前記孔を覆ったときに、収納されているおまけを、前記孔を介しておまけ固定部に固定する手段が設けられていることを特徴とする筒状商品におまけを取り付けて保持するための取付けシート。
【請求項２】
収納されているおまけを、前記孔を介しておまけ固定部に固定する手段は、おまけ固定部の内面に接着された両面テープである請求項１記載の取付けシート。
【請求項３】
単一の粘着性両面テープを正面部の内面からおまけ固定部の内面に亘って接着し、両面テープの表面の剥離紙を剥がすことによって、正面部を商品に貼り付けると共に、おまけをおまけ固定部に固定する請求項１又は請求項２のいずれか一項記載の取付けシート。
【発明の詳細な説明】
【技術分野】
【０００１】
本発明は、例えば汗取りスプレーやヘアプレーのような筒状商品の周面におまけを取り付けて販売するための取付けシートに関する。
【背景技術】
【０００２】
筒状容器を結合するために複数の弧状のつかみ部を備えた結合具は存在する
（例えば、特許文献１参照。）。
【特許文献１】実開平５−８０３７６号公報
【発明の開示】
【発明が解決しようとする課題】
【０００３】
本発明は、筒状の商品の周面におまけを簡単な作業で確実に取り付けて保持することができ、且つ安価に製造できると共に、商品に取り付けられたおまけを商品から容易に取り外すことができる取付けシートを提供することを課題とする。
【０００４】
筒状の容器を結合する手段としては、特許文献１のような結合具を用いて容器同士を結合することが開示されている。しかし、結合部分がペットボトル容器の口や細い筒状の容器であるときは、弧状のつかみ部はそれほど大きくなくてもよいが、容器が太いときは大きな結合具が必要でありコストが非常に高くなる。また、結合具の金型を作成して射出成型によって製造するので製造設備に多額の費用が必要である。
【０００５】
また、特許文献にはないが、筒状の２つの商品を結合するために、２つの商品を一枚の取付けシートで巻きセロファンテープで接着することも日常的に行われている。しかし、これでは確実に結合することができず、店頭に陳列するときにテープが剥がれて２つの商品が分離する虞がある。また、一方を持っただけでは他方の商品の重さによって他方の商品が落下してしまうのである。そこで、本発明は、筒状の商品の周面におまけを簡単な作業で確実に取り付けて保持することができ、且つ安価に製造できる取付けシートを提供しようとするものである。
【課題を解決するための手段】
【０００６】
本発明の請求項１は、汗取りスプレーやヘアプレーのような筒状商品の周面に、筒状のおまけを取り付けて保持するための取付けシートであって、当該取付けシートは、前記商品に貼り付ける正面部と、おまけ保持部とを含み、当該おまけ保持部は、底のないおまけ収納部と、おまけ固定部とを含み、当該おまけ固定部は前記おまけ収納部と前記正面部との間に設けられており、おまけ収納部には収納したおまけの一部を露出するための孔が設けられ、前記おまけ固定部で前記孔を覆ったときに、収納されているおまけを、前記孔を介しておまけ固定部に固定する手段が設けられている構成である。
【０００７】
請求項２は、収納されているおまけを、前記孔を介しておまけ固定部に固定する手段が、おまけ固定部の裏面に接着された粘着性両面テープである要素が請求項１に付加された構成である。
【０００８】
請求項３は、単一の粘着性両面テープを正面部の裏面からおまけ固定部の裏面に亘って接着し、両面テープの表面の剥離紙を剥がすことによって、正面部を商品に貼り付けると共に、おまけをおまけ固定部に固定する要素が請求項１又は請求項２のいずれか一項に付加された構成である。
【発明の効果】
【０００９】
請求項１は、取付けシートが、商品に貼り付ける正面部と、おまけ保持部とを含み、おまけ保持部は、底のないおまけ収納部と、おまけ固定部とを含み、このおまけ固定部はおまけ収納部と正面部との間に設けられ、おまけ収納部には収納したおまけの一部を露出するための孔が設けられ、おまけ固定部で孔を覆ったときに、収納されているおまけを、前記孔を介しておまけ固定部に固定する手段が設けられている。したがって、正面部と、おまけ保持部は一枚のシートで形成可能であるからコストを抑えることができる。また、収納部に底がないので、底を形成するための突出片を形成する必要がなく、突出片のない矩形のシートで製造することができるから製造コストを低くすることができ、おまけを商品に保持するための作業を楽に行うことができる。また、収納部に収納されたおまけはおまけ固定部に固定されるので、収納部に底がなくてもおまけは落下せず確実に保持できる。
【００１０】
請求項２は、収納されているおまけを、前記孔を介しておまけ固定部に固定する手段が、おまけ固定部の裏面に接着された粘着性両面テープである要素が請求項１に付加された構成である。すなわち、収納されているおまけは孔を介して粘着性両面テープにより固定されている。これにより、おまけは孔から覗いた部分のみが両面テープに接着するので接着面積を狭くすることができて、おまけを取り出すときにおまけを両面テープから容易に剥がすことができる。そして、おまけを両面テープから剥がした後におまけをおまけ収納部から引き出せばおまけを商品から容易に取り外すことができる。また、両面テープを用いて固定するので、コストが低く、手作業で簡単に作成できる。
【００１１】
請求項３は、単一の粘着性両面テープを正面部の裏面からおまけ固定部の裏面に亘って接着し、両面テープの表面の剥離紙を剥がすことによって、正面部を商品に貼り付けると共に、おまけをおまけ固定部に固定する要素が請求項１又は請求項２のいずれか一項に付加された構成である。一枚の両面テープを用いることによって、正面部を商品に貼り付けることと、おまけをおまけ固定部に固定することが一度にできるので作業が簡単でコストがかからない。
【発明を実施するための最良の形態】
【００１２】
次に、本発明の実施形態について説明する。図１は、本発明の取付けシート１を形成する前の原形シート２を示している。原形シート２はポリプロピレンを材料とする１枚のシートから成り、矩形に形成されている。原形シート２の厚みは約０．２ｍｍであるがこの数値に限定されるものでない。また、原形シート２の材料は可撓性を有する樹脂であればポリプロピレン以外の合成樹脂であってもよく、紙であってもよい。
【００１３】
図１に示すように、原形シート２は、「今なら  ツイてる」の文字が表示された正面部３が形成され、その隣のおまけ用表示部９との境に第一折り曲げ線４が形成されている。正面部３と反対側の端部に接着代（しろ）５が形成されており、その隣に孔６が形成されている。また、その孔６から離れた位置に第二折り曲げ線７が形成されている。第一折り曲げ線４と第二折り曲げ線７との間に縦線８が表示されており、第一折り曲げ線４と縦線８の間の部分が前述したおまけ用表示部９であって、ここにおまけの内容を表示する。ここでは、「ミニサイズ付」と「無香料」の表示がされている。
【００１４】
原形シート２から本発明の取付けシート１を作成する方法は、図２に示すように、まず、第二折り曲げ線７で原形シート２を折り畳む。次いで、図３に示すように、接着代５をおまけ用表示部９の裏面に接着する。接着は接着剤により行うが、他の接着方法、例えば熱による溶着や粘着剤によるものでもよい。次に、粘着性両面テープ１０を原形シート２の一方の端縁１１付近から接着代５の境界線１２付近まで貼り付ける。接着代５の境界線１２と第二折り曲げ線７との間の部分は２枚のシートが重なっているが接着されていないので、図４に示すように中を広げることができる。境界線１２は折り曲げ線に形成されることが好ましい。
【００１５】
図４に示すように、接着代５の境界線１２と第二折り曲げ線７との間の２枚のシートが重なった部分はおまけ収納部１３であって、前述したようにその重なった部分の中を広げることができる。そして、図５に示すようにその収納部１３におまけ１４を挿入することができる。
【００１６】
図６は、おまけ１４をおまけ収納部１３に完全に収納した状態を示したものであり、図６以降の各図は、おまけ１４を商品１５に取り付けて保持する方法について示している。図６に示すように、おまけ１４をおまけ収納部１３に完全に収納した後に、第一折り曲げ線４で取付けシート１を折る。この際、取付けシート１の表面側、すなわち両面テープ１０が貼り付けられていない側が「く」の字にへこむように折る。次いで、おまけ１４を回転して、おまけ１４の正面とおまけ用表示部９とを合わせる。次いで、両面テープ１０の剥離紙１６を剥がすことによって、粘着部１７を露出させる。
【００１７】
取付けシート１の第一折り曲げ線４と境界線１２の間の部分がおまけ固定部１９である。剥離紙１６を全部剥がした後に、図７に示すように、おまけ固定部１９をおまけ収納部１３の表面に押し付けて貼り付ける。この貼り付けは、図７に示すように、第一折り曲げ線４がおまけ収納部１３の表面に当たるまで貼り付ける。そうすると、おまけ固定部１９の粘着部１７が、孔６から覗いているおまけ１４の露出部分１８に接着しておまけ１４は固定される。おまけ固定部１９はおまけ１４を固定すると共に、おまけ収納部１３の表面とも接着する。
【００１８】
次に、図８に示すように取付けシート１の正面部３を商品１５の表面に貼り付ける。この正面部３の貼り付けは、正面部３の境界である第一折り曲げ線４が商品１５の表面に当たるまで商品１５に貼り付ける。また、前述したように、おまけ固定部１９をおまけ収納部１３の表面に貼り付けるときに、第一折り曲げ線４がおまけ収納部１３の表面に当たるまで貼り付けた状態になっている。このように貼り付けることによって、図９に示すように、第一折り曲げ線４は、くの字に曲がり、この第一折り曲げ線４に沿って延びる接触線上でおまけ１４は商品１５に接触した状態で商品１５に取り付けられる。このような接触が生じる理由は、取付けシート１は可撓性のある材料で形成されていて、曲げたときに元に復帰しようとする弾性力が生じるからである。したがって、図９の状態で、第一折り曲げ線４の位置で取付けシート１が折り曲げられていることによる取付けシート１の弾性力が、図９を上から見ておまけ１４を反時計回りの方向に押している。これにより、おまけ１４が押されても商品１５の表面にやや圧接状態で接触し、おまけ１４は商品１５の表面に支持されて反時計回りに回ることはなく、取付けシート１の弾性力により時計回りに動くこともない。このようにして、おまけ１４はガタつくことがなく商品１５に確実に取り付けることができる。
【００１９】
ガタつきを防止するためには、商品１５とおまけ１４を一枚のシートで包んで巻き付けて、結局は商品１５とおまけ１４との間に２枚のシートを架け渡して結合すればよいが、商品１５とおまけ１４の間で滑りが生じて、商品の表示とシートの表示がずれる虞がある。また、シートが伸びて商品が外れる虞もある。本発明は、純粋に１枚のシートのみでおまけ１４を商品１５に確実に取り付けることができる。また、１枚のシートのみの接着作業であるから、取り付け作業を簡単に行うことができる。
【００２０】
また、図９に示した商品１５は汗取りパウダースプレーであるが、本発明が適用される商品がこの商品に限定されないことは勿論であって、そのほかヘアスプレーのような化粧品に適用してもよく、菓子や薬品など可能性のあるすべての商品について適用できる。
【００２１】
次に、前述した実施形態のサイズを図１に示す原形シート１で説明する。長さ方向の全長は約１６８ｍｍであり、幅は約４５ｍｍである。原形シート１の一方の端縁１１から第一折り曲げ線４までの長さは約７８ｍｍである。第一折り曲げ線４から縦線８までの長さは約２５ｍｍである。第一折り曲げ線４から第二折り曲げ線７までの長さは約４６ｍｍである。第二折り曲げ線７から境界線１２までの長さは約３１ｍｍである。境界線１２から原形シート１の他方の端縁２０までの長さは約１３ｍｍである。したがって、第二折り曲げ線７で原形シート１を折り曲げて、接着代５をおまけ用表示部９の裏面に接着すると、原形シート１の他方の端縁２０は第一折り曲げ線４の２ｍｍ手前まで届く。孔６は境界線１２に接するように形成されており、原形シート１の長さ方向の長さは約１０ｍｍであり、幅方向の長さは約１５ｍｍである。孔６は境界線１２から離して形成してもよい。なお、これらの数値は主に商品のサイズに基づいて決定されるものであって、本発明がこれらの数値に限定されないことは勿論である。
【図面の簡単な説明】
【００２２】
【図１】原形シートの正面図
【図２】取付けシートの正面図
【図３】取付けシートの裏面図
【図４】おまけ収納部を広げた取付けシートの斜視図
【図５】おまけをおまけ収納部に収納する状態の一部斜視図
【図６】剥離紙を剥がす状態の一部斜視図
【図７】おまけを両面テープに接着した状態の一部斜視図
【図８】正面部を商品に貼り付ける状態の一部正面図
【図９】商品におまけを取り付けた状態の正面図
【符号の説明】
【００２３】
１  取付けシート
２  原形シート
３  正面部
４  第一折り曲げ線
５  接着代
６  孔
７  第二折り曲げ線
８  縦線
９  おまけ用表示部
１０  両面テープ
１１  一方の端縁
１２  境界線
１３  おまけ収納部
１４  おまけ
１５  商品
１６  剥離紙
１７  粘着部
１８  おまけの露出部分
１９  おまけ固定部
２０  他方の端縁
【図１】
2009249016.tif 000003
【図２】
2009249016.tif 000004
【図３】
2009249016.tif 000005
【図４】
2009249016.tif 000006
【図５】
2009249016.tif 000007
【図６】
2009249016.tif 000008
【図７】
2009249016.tif 000009
【図８】
2009249016.tif 000010
【図９】
2009249016.tif 000011